(57)【要約】【課題】外径の異なる支柱の間を締結できるだけでなく、外径の同じ支柱の間を締結できる手摺並びにこれを手摺として組み込んでなる枠組足場を提供する。【解決手段】１対の楔孔とこの１対の楔孔の両方に挿入できる楔を有していて締結すべき支柱を抱き込むことができる取付部材を長尺の手摺本体の両端に設けてなる手摺であって、各取付部材における１対の楔孔は手摺本体に対して直角方向に設けられた２個の壁面のそれぞれに穿たれており、１対の楔孔のうち、第１の楔孔は１個の長孔からなり、そして、第２の楔孔は手摺本体に対して直角方向に複数個配置された長孔からなることを特徴とする、締結すべき支柱の外径に応じて第２の楔孔のうちの長孔の１個を選択して楔を挿入することによって外径の異なる支柱の間を締結することができる手摺。第２の楔孔として設けられる長孔の一部が互いに繋がっていてもよい。楔の先端部近傍には楔脱落防止ピンが取り付けられているのが好ましい。また、手摺は伸縮自在であることが好ましい。【選択図】図４
2009191506.tif 000002
【特許請求の範囲】
【請求項１】
１対の楔孔とこの１対の楔孔の両方に挿入できる楔を有していて締結すべき支柱を抱き込むことができる取付部材を長尺の手摺本体の両端に設けてなる手摺であって、各取付部材における１対の楔孔は手摺本体に対して直角方向に設けられた２個の壁面のそれぞれに穿たれており、１対の楔孔のうち、第１の楔孔は１個の長孔からなり、そして、第２の楔孔は手摺本体に対して直角方向に複数個配置された長孔からなることを特徴とする、締結すべき支柱の外径に応じて第２の楔孔のうちの長孔の１個を選択して楔を挿入することによって外径の異なる支柱の間を締結することができる手摺。
【請求項２】
第２の楔孔に配置された複数個の長孔のうち、手摺本体の近くに配置された長孔には小径の支柱を締結するときに楔を挿入し、そして、手摺本体の遠くに配置された長孔には大径の支柱を締結するときに楔を挿入することを特徴とする、請求項１に記載の手摺。
【請求項３】
第２の楔孔に配置された複数個の長孔のうち、少なくとも２個の長孔の一部が互いに繋がっていることを特徴とする、請求項１又は２に記載の手摺。
【請求項４】
第２の楔孔に配置された長孔が２個であることを特徴とする、請求項１から３までのいずれかに記載の手摺。
【請求項５】
楔の先端部近傍には楔脱落防止ピンが取り付けられていることを特徴とする、請求項１から４までのいずれかに記載の手摺。
【請求項６】
第２の楔孔に配置された複数個の長孔のいずれをも、楔脱落防止ピンの両端部が通り抜けることができるように、それぞれの長孔の中央部に連通して、楔脱落防止ピンの両端部が通れるだけの小孔が、それぞれの長孔に連通して設けられていることを特徴とする、請求項５に記載の手摺。
【請求項７】
長尺の手摺本体が伸縮自在であることを特徴とする請求項１から６までのいずれかに記載の手摺。
【請求項８】
請求項１から７までのいずれかに記載の手摺が、その両端に設けてなる各取付部材の楔によって２本の支柱の間に固定された状態で組み込まれていることを特徴とする枠組足場。
【発明の詳細な説明】
【技術分野】
【０００１】
本発明は、外径の異なる支柱（建枠の縦柱や支柱部材）の間を締結することができる手摺及びこれを組み込んでなる枠組足場に関する。
【背景技術】
【０００２】
建築現場等で用いられる枠組足場には、例えば、建枠に筋違（すじかい）や手摺枠を取り付けてなる「建枠式足場」と、支柱部材やブレース材（斜材ともいう。）や手摺部材等の足場構成部材を緊結して組み立ててなる「緊結式足場」がある。
【０００３】
「建枠式足場」は、次のようにして組み立てられる。すなわち、横桟と縦柱から構成され、Ｈ形状や鳥居形状を有する建枠の複数個を、所定の間隔で建物等の構造物とは直角に立設し、隣接する建枠の縦柱の間に筋違や手摺枠を取り付け固定して複数個の建枠を自立させた後、さらに建枠の横桟の上に床付き布枠（布板ともいう。）を１枚又は平行して２枚架け渡すことで、１単位の足場を形成する。この床付き布枠の上が作業用通路になるが、その幅は架け渡された１枚の床付き布枠の幅又は平行して２枚架け渡された床付き布枠の合計幅となるので、これらの幅に応じて、使用する建枠の横桟の長さが決まる。
【０００４】
次に、既に立設した建枠の上に、別途用意された建枠を立設し、同様にして筋違や手摺枠を隣接する建枠の間に取り付け固定した後、新たに立設した建枠の横桟の上に床付き布枠を１枚又は２枚架け渡すことによって一つ上の段の足場を形成する。これを順次繰り返すことによって、全体の枠組み足場を形成する。
【０００５】
この建枠として、Ｈ形状の建枠（以下、「Ｈ枠」という。）を例にとって、建枠式の枠組足場を組み立てる手順を、図１を用いて説明する。図１(a)が正面図、そして、図１(b)が右側面図である。
【０００６】
３個のＨ枠１を建物２２とは直角に等間隔に並べ、隣接するＨ枠の間に、建物側に筋違１３をロック金具６ａに取り付け、そして建物とは反対側に手摺枠１０をロック金具６ｂに取り付けて、１段目のＨ枠１を自立させる。さらに、建物側の筋違１３をロック金具７ａに取り付け、そして、建物とは反対側に手摺枠１０をロック金具７ｂに取り付けて固定する。その後、１段目のＨ枠１の隣接する横桟３の間に床付き布枠１１を架け渡して、１段目の足場を形成する。
【０００７】
次に、既に立設した１段目のＨ枠１の縦柱２の上に、別途用意したＨ枠１の縦柱２の下部を載置し、固定ピン（図示せず）で固定することによって、２段目のＨ枠１を立設する。その後、１段目と同様にして、建物側に筋違１３をロック金具６ａと７ａに取り付け、そして、建物とは反対側に手摺枠１０をロック金具６ｂと７ｂに取り付けて固定し、その後、２段目のＨ枠１の横桟３に床付き布枠１１を架け渡して、２段目の足場を形成する。
【０００８】
３段目の足場も、２段目の足場と同じ手順で組み立てる。すなわち、建物側に筋違１３を、そして、建物とは反対側に手摺枠１０を固定し、その後、３段目のＨ枠１の横桟３に床付き布枠１１を架け渡して、３段目の足場を形成する。
【０００９】
一方、「緊結式足場」は、「コマ」と呼ばれる取付部材が複数個設けられた支柱部材に、手摺部材、ブレース材、腕木部材等の足場構成部材をコマを介して取り付け、そして、コマにおいて楔等によってこれらの足場構成部材を緊結した後、床付き布枠を１枚又は２枚以上架け渡すことによって、組み立てられる。
【００１０】
図２を用いて緊結式足場を組み立てる手順を説明する。図２(a)は緊結式足場の正面図、図２(b)は(a)において円で示されたコマの周辺の拡大図、そして、図２(c)は緊結式足場の右側面図である。
【００１１】
緊結式足場は、支柱１４が建物側とその反対側に各３本が立設されている。各々の支柱１４は、複数のコマ２０を有する支柱部材１６を縦に継ぎ足すことによって形成されている。建物側の隣接する支柱１４の間には、コマ２０を介してブレース材１９が取り付けられ、また、建物とは反対側の隣接する支柱１４の間には、コマ２０を介して手摺部材１５が取り付けられ、コマ２０において楔等で緊結される。さらに、建物側の支柱１４と建物とは反対側の支柱１４の間には、コマ２０を介して腕木材２１が取り付けられ、コマ２０において楔等で緊結され、そして、隣接する腕木材２１の間に、床付き布枠１１を架け渡すことで、１段目の足場が形成される。なお、ブレース材１９は建物とは反対側の支柱１４の間に取り付ける場合もある。
【００１２】
２段目の足場は、１段目の足場と同様にして形成される。必要に応じて、１段目の足場の支柱１４の上端に別途用意した支柱１４を縦方向に継ぎ足した上で、ブレース材１９、手摺部材１５、腕木部材２１をコマ２０を介して取り付け緊結した後、床付き布枠１１を１枚又は平行して２枚架け渡すことで、１単位の足場を形成する。この床付き布枠の上が作業用通路になるが、その幅は架け渡された１枚の床付き布枠の幅又は平行して２枚架け渡された床付き布枠の合計幅となるので、これらの幅に応じて、使用する腕木材２１の長さが決まる。これを順次繰り返すことによって、複数段の緊結式足場が形成される。
【００１３】
このように、建築現場等で用いられる枠組足場には、建枠式枠組足場と緊結式枠組足場とを問わず、作業員の転落を防止するために、枠組足場の少なくとも道路側には、隣接する建枠の縦柱又は支柱部材の間に手摺枠又は手摺部材が取り付けられている。以下、建枠の縦柱又は支柱部材を総称して、「支柱」ということがある。
【００１４】
しかしながら、建枠式枠組足場に用いられる建枠の縦柱と緊結式足場に用いられる支柱部材とでは、同一メーカーの製品であってもその外径は異なっているのが一般的である（たとえば、前者が４２．７ｍｍ、そして、後者が４８．６ｍｍのものが多い）。さらに、メーカーが違えば、同じ建枠であってもその縦柱の外径は異なる。同様に、メーカーが違えば、支柱部材の外径も異なる。したがって、建枠式枠組足場と緊結式足場とを接続して全体として一つの枠組足場を形成する必要が生じた場合には、左右で外径の異なる支柱の間を締結することのできる手摺が必要となる。
【００１５】
次に、建物の周囲に建枠式枠組足場を組み立てるときに、建物の角部に当たる場所に用いられる建枠は妻面となる。
【００１６】
図３は、建物２２の周囲に建枠２４を用いて建枠式枠組足場を組み立てるときの手摺枠１０の設置状況（平面図）を示す。
【００１７】
図３にみるごとく、建枠２４がＨ枠であろうと鳥居枠であろうと、建物２２の角部に当たる場所に設置されるとき、それは妻面建枠２５となるので、そこには手摺枠１０を設けることができない。したがって、作業員の転落を防止するために、妻面建枠２５の中の２つの縦柱（支柱）の間を締結できる妻面用手摺を用意しておき、手摺枠１０に代えて、設置する必要がある。この妻面用手摺は、同一外径の縦柱（支柱）の間を締結することになる。したがって、作業員の安全確保のために枠組足場に組み込む手摺としては、左右で外径の異なる支柱の間を締結できる手摺だけでなく、外径の同じ支柱の間を締結できる手摺をも用意しておく必要がある。
【００１８】
さらに、枠組足場を組み立てる施工業者は、建枠式枠組足場に用いられる建枠に関して、同一のメーカーの製品のみを所有しているとは限らず、むしろ複数のメーカーの製品を所有しており、併用することの方が多い。そして、上述したように、メーカーが違えば同じ建枠であってもその縦柱（支柱）の外径は異なるので、複数のメーカーの製品を所有する施工業者は、様々な外径の縦柱（支柱）に対応できるように、同一外径の縦柱（支柱）間を締結する妻面用手摺を数種類用意する必要がある。
【００１９】
このとき、建枠式枠組足場の作業用通路の幅は、通常、６００〜６１０ｍｍ、９００〜９１４ｍｍ及び１２００〜１２１９ｍｍの３種類が存在するため、建枠の縦柱（支柱）間の幅も同様に、６００〜６１０ｍｍ、９００〜９１４ｍｍ及び１２００〜１２１９ｍｍの３種類存在する。それぞれ、６００枠、９００枠及び１２００枠ということがある。したがって、この妻面用手摺としては、外径の異なる支柱の間を締結する必要はないものの、３種類の建枠に対応して、３種類の長さのものを用意する必要がある。
【００２０】
なお、施工業者が同一のメーカーの製品のみを所有しているとは限らず、むしろ複数のメーカーの製品を所有しており、併用することの方が多い点は、緊結式足場を用いて枠組足場を組み立てる場合にも、同じ問題を生じさせることになる。複数のメーカーの製品を所有する施工業者は、様々な外径の支柱部材（支柱）に対応できるように、同一外径の支柱部材（支柱）間を締結するときであっても、長さの異なる手摺を数種類用意する必要がある。
【００２１】
このような問題を解決するために、特許文献１には、伸縮自在の長尺の手摺本体とその両端に設けられた着脱可能の管掴み部材からなる、外径の異なる支柱の間を締結できる手摺が提案されている。ここでは、その両端に設けられた管掴み部材を大径用と小径用の２種類用意しており、管外径に応じて、その都度、取り換えることで外径の異なる管に対応している。
【００２２】
また、特許文献２には、異径チューブを連結できる足場クランプが提案されている。ここでは、平行部をもつヒンジピンを長孔スロットを通して移動可能とすることによって閉鎖エレメントと調整し、あるいはさらに、傾動エレメントを追加して、異径の支柱に対応している。
【００２３】
【特許文献１】特開２００７−４６３８２号公報
【特許文献２】特開平６−２０７４６１号公報
【発明の開示】
【発明が解決しようとする課題】
【００２４】
上述の通り、建枠式枠組足場に用いられる建枠の縦柱（支柱）と緊結式足場に用いられる支柱部材（支柱）の間を締結する場合には、外径の異なる支柱の間を締結できる手摺が必要となるものの、妻面となる建枠内の縦柱（支柱）の間を締結する場合には外径の同じ支柱の間を締結できる手摺が必要となる。したがって、枠組足場に組み込まれる手摺は、外径の異なる支柱の間を締結できるだけでなく、外径の同じ支柱の間を締結できるものであることが求められる。さらに、複数のメーカーの製品を所有する施工業者は、同一外径の支柱の間を締結するときであっても、様々な外径の支柱に対応できるような手摺が求められる。
【００２５】
特許文献１に開示された手摺は、外径の異なる支柱の間を締結できるだけでなく、外径の同じ支柱の間を締結できるものであるが、その両端に設けられた掴み部材を大径用と小径用の２種類用意しており、管外径に応じて、その都度、掴み部材を取り換える必要があるから、その取替作業に手間がかかるという問題がある。
【００２６】
次に、特許文献２に開示された異径チューブを連結できる足場クランプは、平行部をもつヒンジピンを長孔スロットを通して移動可能とすることによって、外径の異なる支柱の間を締結できるだけでなく外径の同じ支柱の間を締結できるものである。しかしながら、この足場クランプは長孔スロットの支持面に楔効果により大きな荷重が作用するため、長孔スロットが壊れやすいという問題があるし、この足場クランプを組み立てる際には長孔スロット内へのヒンジピンの挿入調整に手間がかかる。さらに傾動エレメントを有する構造にあっては、複雑な構造のために壊れやすいとともに、その調整に手間がかかるという問題がある。
【００２７】
本発明は、これらの問題を解決するためになされたものであって、特殊な楔構造を採用することによって、複雑な機構を不要にするとともに調整に手間をかけることなく、外径の異なる支柱の間を締結できるだけでなく、外径の同じ支柱の間を締結できる手摺を提供するとともに、これを手摺として組み込んでなる枠組足場を提供することを目的とする。
【課題を解決するための手段】
【００２８】
本発明者らは、上記目的を達成するために、種々の検討を重ねた結果、次の(a)〜(h)の知見を得た。
【００２９】
(a) 外径の異なる支柱の間を締結できるだけでなく、外径の同じ支柱の間を締結できる手摺としては、締結すべき支柱を内部に固定することができる取付部材を長尺の手摺本体の両端に設けるとともに、締結すべき支柱の外径に応じて複数径の支柱を選択的に固定できるようにすればよい。
【００３０】
(b) 取付部材の内部に支柱を固定するための機構として複雑な機構を採用すると、組み立てに手間がかかるし故障もしやすいので、できるだけ単純な機構を採用したい。楔効果を利用した機構は単純であるから、好ましい。楔効果を利用した機構としては、楔孔と楔を組み合わせて楔効果を利用したものを挙げることができる。
【００３１】
(c) 楔孔と楔を組み合わせて楔効果を利用した機構としては、各取付部材の内部に締結すべき支柱を抱き込むことができる間隔を開けて、手摺本体に対して直角方向に２個の壁面を設け、そして、これら壁面に１対の楔孔を穿ち、その両方の楔孔に挿入できる楔を用意すればよい。すなわち、手摺の両端に設けられた各取付部材のこれらの壁面の間に締結すべき支柱を抱き込んだ後に、これらの壁面に穿たれた１対の楔孔の両方に楔を挿入することによって、各取付部材の内部に締結すべき支柱を固定することができる。ここで、手摺本体に対して直角方向に設けられる２個の壁面は、２個の部材を手摺本体に対して直角方向に別個に設けてもよいし、１個の断面Ｕ字形の壁面を手摺本体に対して直角方向に設けることによって実質的に２個の壁面を形成してもよい。なお、２個の壁面の間隔は締結すべき支柱の最大外径に対応して適宜決定すればよい。
【００３２】
(d) 次に、外径に応じて選択的に複数径の支柱を取付部材の内部に選択的に固定できるようにするためには、１対の楔孔のうち、第１の楔孔は１個の長孔からなり、そして、第２の楔孔は手摺本体に対して直角方向に複数個配置された長孔からなるようにすれば、締結すべき支柱の外径に応じて第２の楔孔のうちの長孔の１個を選択して楔を挿入することによって外径の異なる支柱の間を締結することができる手摺となる。
【００３３】
すなわち、第２の楔孔に配置された複数個の長孔のうち、手摺本体の近くに配置された長孔には小径の支柱を締結するときに楔を挿入し、そして、手摺本体の遠くに配置された長孔には大径の支柱を締結するときに楔を挿入すればよい。
【００３４】
たとえば、支柱の外径として、４８．６ｍｍと４２．７ｍｍの大径と小径の２種類を想定すれば足りる場合には、第２の楔孔として、２個の長孔を手摺本体の近くと遠くに穿いておき、４２．７ｍｍの小径の支柱のときには手摺本体の近くの長孔に楔を挿入し、そして、４８．６ｍｍの大径の支柱のときには手摺本体の遠くの長孔に楔を挿入することができるので、締結すべき支柱の小径であろうと大径であろうと、各取付部材の内部に固定することができる。
【００３５】
(e) ここで、楔は重要な部品であるが、小さな部材であるから紛失しやすい。したがって、楔を楔孔から遊離させないように、波型スプリングピン等の楔脱落防止ピンを楔の先端部近傍に備えるのが好ましい。楔脱落防止ピンは第２の楔孔は通り抜けるが、第１の楔孔は通り抜けることはできないように設置すれば、楔が遊離することはない。
【００３６】
たとえば、楔の先端部の近傍にピン取付孔を設けておき、このピン取付孔を含む楔先端部を第１の楔孔を通した後、そのピン取付孔内にその孔の長さよりも長い波型スプリングピンを径方向に収縮させた状態でその孔に垂直に手挿入した後に手を離すと、波型スプリングピンの両端部とも楔面から垂直にはみ出た状態で、波型スプリングピンが径方向に拡張してピン取付孔内に固定されることになる。その結果、楔の先端部近傍に固定された波型スプリングピンの両端部が第１の楔孔を通ることを妨げるから、楔脱落防止ピンとなる。
【００３７】
そして、楔が第２の楔孔として設けられる長孔を通り抜けるときに、楔脱落防止ピンが第２の楔孔として設けられる長孔のいずれをも通り抜けることができるようにすればよい。そのためには、第２の楔孔として設けられる複数個の長孔のいずれをも、楔脱落防止ピンの両端部が通り抜けることができるように、それぞれの長孔の中央部に連通して、楔脱落防止ピンの両端部が通れるだけの小孔を直角に設置すればよい。
【００３８】
なお、楔脱落防止ピンとしては、上述した波型スプリングピンのほかに、溝付きスプリングピンやスパイロールピン等を挙げることができる。
【００３９】
(f) なお、第２の楔孔として設けられる複数個の長孔は、支柱の外径に応じて、楔を選択的に挿入できるように設けられたものであるが、楔が支柱の外径に応じていずれかに挿入されたときに、その支柱がどのような外径を有していようと、それぞれの取付部材の内部に支柱を楔によって固定できるような長孔の形状であればよい。したがって、第２の楔孔として設けられる複数個の長孔は互いに分離していてもよいが、複数個の長孔は分離していなくても構わない。たとえば、第２の楔孔に設けられる複数個の長孔のうち、少なくとも２個の長孔の一部が繋がっていてもよい。すなわち、長孔の間で連通孔を形成していてもよい。
【００４０】
(g) また、前述したとおり、建枠には、６００枠、９００枠及び１２００枠の３種類があり、建枠の中の縦柱間の幅は、６００〜６１０ｍｍ、９００〜９１４ｍｍ及び１２００〜１２１９ｍｍの３種類が存在するから、支柱の間を締結できる手摺の長さも、これらの３つの長さを兼ね備えたものとするのが好ましい。そのためには、たとえば、長尺の手摺本体をスライド構造とすることによって、伸縮自在とすればよい。
【００４１】
(h) このような手摺を手摺として枠組足場に組み込めば、作業員が転んだり転落したりせずに、作業通路を安全に通行したり、作業通路上で安全に作業できるようになる。このような手摺は、妻面となる建枠内の縦柱（支柱）の間を締結するための手摺にも用いることができるし、長尺の手摺本体を伸縮自在に構成すれば、３種類の建枠のいずれの妻面手摺にも用いることができる。
【００４２】
本発明は、このような知見に基づいて完成したものであって、次の(1)〜(7)の手摺及び(8)の枠組足場を要旨とする。以下、(1)〜(8)を総称して、本発明ということもある。
【００４３】
(1) １対の楔孔とこの１対の楔孔の両方に挿入できる楔を有していて締結すべき支柱を抱き込むことができる取付部材を長尺の手摺本体の両端に設けてなる手摺であって、各取付部材における１対の楔孔は手摺本体に対して直角方向に設けられた２個の壁面のそれぞれに穿たれており、１対の楔孔のうち、第１の楔孔は１個の長孔からなり、そして、第２の楔孔は手摺本体に対して直角方向に複数個配置された長孔からなることを特徴とする、締結すべき支柱の外径に応じて第２の楔孔のうちの長孔の１個を選択して楔を挿入することによって外径の異なる支柱の間を締結することができる手摺。
【００４４】
(2) 第２の楔孔に配置された複数個の長孔のうち、手摺本体の近くに配置された長孔には小径の支柱を締結するときに楔を挿入し、そして、手摺本体の遠くに配置された長孔には大径の支柱を締結するときに楔を挿入することを特徴とする、上記(1)の手摺。
【００４５】
(3) 第２の楔孔に配置された複数個の長孔のうち、少なくとも２個の長孔の一部が互いに繋がっていることを特徴とする、上記(1)又は(2)の手摺。
【００４６】
(4) 第２の楔孔に配置された長孔が２個であることを特徴とする、上記(1)〜(3)のいずれかの手摺。
【００４７】
(5) 楔の先端部近傍には楔脱落防止ピンが取り付けられていることを特徴とする、上記(1)〜(4)のいずれかの手摺。
【００４８】
(6) 第２の楔孔に配置された複数個の長孔のいずれをも、楔脱落防止ピンの両端部が通り抜けることができるように、それぞれの長孔の中央部に連通して、楔脱落防止ピンの両端部が通れるだけの小孔が、それぞれの長孔に連通して設けられていることを特徴とする、上記(5)の手摺。
【００４９】
(7) 長尺の手摺本体が伸縮自在であることを特徴とする、上記(1)〜(6)のいずれかの手摺。
【００５０】
(8) 上記(1)〜(7)のいずれかの手摺が、その両端に設けてなる各取付部材の楔によって２本の支柱の間に固定された状態で組み込まれていることを特徴とする枠組足場。
【発明の効果】
【００５１】
本発明によれば、外径の異なる支柱の間を締結できるだけでなく、外径の同じ支柱の間を締結できる手摺を提供するとともに、これを手摺として組み込んでなる枠組足場を提供することができる。
【００５２】
特に、妻面となる建枠内の縦柱（支柱）の間を締結するための手摺にも用いることができるし、長尺の手摺本体を伸縮自在に構成すれば、３種類の建枠のいずれの妻面手摺にも用いることができる。
【発明を実施するための最良の形態】
【００５３】
本発明に係る手摺及びこの手摺を手摺として組み込んでなる枠組足場を、以下に、図面を用いて説明する。
【００５４】
なお、ここでは、建枠の縦柱と支柱部材（支柱）に用いられる管材として、２種類の外径のもの（大径管の外径：４８．６ｍｍ、小径管の外径：４２．７ｍｍ）を例示することによって、本発明にかかる手摺を用いると、２種類の異径の管材又は同径の管材の間を締結できることを説明するが、２種類の外径を有する管材だけでなく、３種類以上の外径を有する管材にも適用できるし、これらの寸法の管材に限定されるものでもない。また、管材に代えて、棒材を用いることもできる。
【００５５】
また、ここでは、支柱の間隔が、６００〜６１０ｍｍ、９００〜９１４ｍｍ及び１２００〜１２１９ｍｍのときの手摺として用いることができることを例示して、本発明にかかる手摺が６６０枠、９００枠及び１２００枠のいずれにも対応することができることを説明するが、本発明にかかる手摺は支柱の間隔が上記以外の数値であるときにも適用できることはいうまでもない。
【００５６】
したがって、本発明は次の実施例に限定されるものではない。
【実施例１】
【００５７】
図４は、本発明に係る手摺の一例を示したものである。(a)は正面図、(b)は背面図、(c)は上面図、(d)は右側面図であり、そして、(e)はＡ−Ａ線矢視右側面図（断面図）である。
【００５８】
ここでは、手摺本体３１は、１個の角形の内筒部材３２と２個の角形の外筒部材３３からなり、互いに反対方向にスライド移動させることによって、水平方向に伸縮自在に構成されている。そして、内筒部材３２と外筒部材３３とが外れないように、内筒部材３２の両端部の外側側面には、それぞれ丸棒ストッパー３４が設けられ、そして、外筒部材３３の内向きの端部の内側側面には、それぞれ板材ストッパー３５が設けられている。
【００５９】
したがって、外筒部材３３を内筒部材３２に対して外向きに移動させて手摺本体３１を伸ばし続けると、内筒部材３２に設けられた丸棒ストッパー３４と外筒部材３３に設けられた板材ストッパー３５がぶつかるために、外筒部材３３はそれ以上外向きには引き出されない。この状態が手摺本体３１の所定の最大長さであり、外筒部材３３は手摺本体の所定の最大長さを超えて引き出されることはないので、外筒部材３３が内筒部材３２から外れることはない。逆に、外筒部材３３を内筒部材３２に対して内向きに押し込むことによって手摺本体３１を縮めていくと、外筒部材３３の内向きの端面同士がぶつかるために、外筒部材３３はそれ以上内向きに押し込むことができない。この状態が手摺本体の所定の最小長さである。
【００６０】
そして、手摺本体３１の両端には、管材２３を内部に固定することができる取付部材３６がそれぞれ設けられている。取付部材３６は、手摺本体に対して直角方向に２個の壁面を有し、これら壁面に支柱（図示せず）を内部に固定することのできる１対の楔孔と楔３８を有している。ここでは、楔３８は第１の楔孔４１として設けられている長孔４５に挿入された後に、楔３８の先端部に穿たれたピン取付孔４９に波形スプリングピン５０が嵌められているので、楔３８が第１の楔孔４１から脱落することはない。したがって、楔３８が手摺から遊離することはなく、楔３８が紛失する恐れはなくなる。
【００６１】
１対の楔孔のうち、第１の楔孔４１は１個の長孔４５からなり、そして、第２の楔孔４２は小孔４７を有する連通孔４８からなる。楔３８は、第１の楔孔４１として設けられている長孔４５に挿入することができるだけでなく、第２の楔孔４２として設けられている小孔４７を有する連通孔４８のうちのいずれか一方の孔（小径用孔５２、大径用孔５３）に挿入することができる。ここでは、小径用孔５２は外径４２．７ｍｍの支柱のときに挿入され、そして、大径用孔５３は外径４８．６ｍｍの支柱のときに挿入される。
【００６２】
ここで、連通孔４８に設けられた小孔４７は、楔３８の先端部に嵌められた波形スプリングピン５０が連通孔４８を通り向けることができるように設けられたものである。作業員が手作業で波形スプリングピン５０が連通孔４８だけでなく小孔４７をも通すことによって、はじめて楔３８は第２の楔孔４２を通ることができるものであるから、一旦波形スプリング５０が連通孔４８だけでなく小孔４７をも通った後は、楔３８が第２の楔孔４２に固定されているから、第２の楔孔４２から自然に外れ落ちることはないので、楔３８は第１の楔孔４１だけでなく、第２の楔孔４２にも固定できることになる。
【００６３】
このように、支柱（図示せず）を楔孔３８と一対の楔とでその内部に固定する際に、支柱の外径に応じて、第２の楔孔４２として設けられている、小孔４７を有する連通孔４８のうちの一方の孔を選択して楔３８を小径用孔５２又は大径用孔５３に挿入することによって、楔３８を第２の楔孔４２にもしっかり固定できるので、その支柱の外径が、４２．７ｍｍと４８．６ｍｍのいずれであろうと、支柱の間にこの手摺を確実に固定することができる。
【００６４】
また、図示された状態では、支柱（図示せず）の間隔が９００〜９１４ｍｍのときの手摺、すなわち、９００枠用の手摺であるが、手摺本体３１は水平方向に伸縮自在に構成されているので、たとえば、６００〜６１０ｍｍ及び１２００〜１２１９ｍｍの間隔を有する支柱に対応する手摺にもなる。すなわち、この手摺は、６００枠、９００枠及び１２００枠のいずれにも対応することができる。
【００６５】
図５は、図４で示される本発明にかかる手摺を、小径の支柱の間に取り付けたときの一態様である。(a)は正面図、(b)は背面図、(c)は上面図、(d)は右側面図であり、そして、(e)はＡ−Ａ線矢視右側面図（断面図）である。また、図６は、同じく図４で示される本発明にかかる手摺を、鳥居枠の縦柱の間に取り付けたときの一態様を示す斜視図である。
【００６６】
ここでは、手摺本体３１の状態は、図４に示された状態のままであり、水平方向にスライド移動はなされていないから、手摺本体３１の長さは変わっていない。
【００６７】
そして、手摺本体３１の両端に設けられた取付部材３６において、楔３８は第１の楔孔４１だけでなく、第２の楔孔４２にも挿入されている。ここでは、管材２３は小径（外径：４２．７ｍｍ）であるから、第２の楔孔４２にかかる連通孔４８のうち、小径用孔５２に挿入されている。その結果、小径の管材２３は取付部材３６の内部に固定されている。楔３８の先端部には波形スプリングピン５０が嵌められているので、楔３８が第２の楔孔４２からも脱落することはない。
【００６８】
このように、この手摺は、小径（外径：４２．７ｍｍ）の管材２３が用いられている支柱の間を締結する場合の手摺として用いることができる。また、手摺を建枠式の枠組足場の妻面に確実に取り付けることができるので、妻面からの作業員の転落を防止することができる。なお、図示された状態では、支柱の間隔が９００〜９１４ｍｍの時の手摺として、すなわち、９００枠用の手摺として用いられているが、６００枠用や１２００枠用にも用いることができる。
【００６９】
図７は、図４で示される本発明にかかる手摺を、大径の支柱の間に取り付けたときの他の態様である。(a)は正面図、(b)は背面図、(c)は上面図、(d)は右側面図であり、そして、(e)はＡ−Ａ線矢視右側面図（断面図）である。
【００７０】
ここでは、手摺本体３１の状態は、図４に示された状態のままであり、水平方向にスライド移動はなされていないから、手摺本体３１の長さは変わっていない。
【００７１】
そして、手摺本体３１の両端に設けられた取付部材３６において、楔３８は第１の楔孔４１だけでなく、第２の楔孔４２にも挿入されている。ここでは、管材２３は大径（外径：４８．６ｍｍ）であるから、第２の楔孔４２にかかる連通孔４８のうち、大径用孔５３に挿入されている。その結果、大径の管材２３は取付部材３６の内部に固定されている。楔３８の先端部には波形スプリングピン５０が嵌められているので、楔３８が第２の楔孔４２からも脱落することはない。
【００７２】
このように、この手摺は、大径（外径：４８．６ｍｍ）の管材２３が用いられている支柱の間を締結する場合の手摺として用いることができる。また、図示された状態では、支柱の間隔が９００〜９１４ｍｍの時の手摺として、すなわち、９００枠用の手摺として用いられているが、６００枠用や１２００枠用にも用いることができる。
【００７３】
図８は、図４で示される本発明にかかる手摺を、異径の支柱の間に取り付けたときの他の態様である。(a)は正面図、(b)は背面図、(c)は上面図、(d)は左側面図、(e)は右側面図であり、そして、(f)はＡ−Ａ線矢視右側面図（断面図）である。
【００７４】
ここでは、手摺本体３１の状態は、図４に示された状態のままであり、水平方向にスライド移動はなされていないから、手摺本体３１の長さは変わっていない。
【００７５】
そして、手摺本体３１の両端に設けられた取付部材３６において、楔３８は第１の楔孔４１だけでなく、第２の楔孔４２にも挿入されている。ここでは、正面に向かって、右側の管材２３は大径（外径：４８．６ｍｍ）であり、そして、左側の管材２３は小径（外径：４２．７ｍｍ）であるから、右側の第２の楔孔４２にかかる連通孔４８においては大径用孔５３に挿入され、そして、左側の第２の楔孔４２にかかる連通孔４８においては小径用孔５２に挿入されている。その結果、正面に向かって、右側の大径の管材２３と左側の小径の管材２３の両方が取付部材３６の内部に固定されている。両方の楔３８の先端部にはそれぞれ波形スプリングピン５０が嵌められているので、いずれの楔３８も第２の楔孔４２からも脱落することはない。
【００７６】
このように、この手摺は、大径（外径：４８．６ｍｍ）の管材２３が用いられている支柱と、小径（外径：４２．７ｍｍ）の管材２３が用いられている支柱との間を締結する場合の手摺として用いることができる。また、図示された状態では、支柱の間隔が９００〜９１４ｍｍｍｍの時の手摺として、すなわち、９００枠用の手摺として用いられているが、６００枠用や１２００枠用にも用いることができる。
【００７７】
図９は、図４で示される本発明にかかる手摺を、小径の支柱の間に取り付けたときの他の態様である。(a)は正面図、(b)は背面図、(c)は上面図、(d)は右側面図であり、そして、(e)はＡ−Ａ線矢視右側面図（断面図）である。
【００７８】
ここでは、手摺本体３１の状態は、外筒部材３３を内筒部材３２に対して内向きに最大限に押し込んだときの状態であり、このとき、外筒部材３３の内向きの端面同士がぶつかるために、外筒部材３３はそれ以上内向きに押し込むことができない。この状態が手摺本体３６の最小長さである。図示された状態は、支柱の間隔は６００〜６１０ｍｍであり、６００枠に対応している。
【００７９】
そして、手摺本体３１の両端に設けられた取付部材３６において、楔３８は第１の楔孔４１だけでなく、第２の楔孔４２にも挿入されている。ここでは、管材２３は小径（外径：４２．７ｍｍ）であるから、第２の楔孔４２にかかる連通孔４８のうち、小径用孔５２に挿入されている。その結果、小径の管材２３は取付部材３６の内部に固定されている。楔３８の先端部には波形スプリングピン５０が嵌められているので、楔３８が第２の楔孔４２からも脱落することはない。
【００８０】
図１０は、図４で示される本発明にかかる手摺を、小径の支柱の間に取り付けたときの他の態様である。(a)は正面図、(b)は背面図、(c)は上面図、(d)は右側面図であり、そして、(e)はＡ−Ａ線矢視右側面図（断面図）である。
【００８１】
ここでは、手摺本体３１の状態は、外筒部材３３を内筒部材３２に対して外向きに移動させて手摺本体３１を最大限に伸ばしたときの状態であり、このとき、内筒部材３２に設けられた丸棒ストッパー３４と外筒部材３３に設けられた板材ストッパー３５がぶつかるために、外筒部材３３はそれ以上外向きには引き出されない。この状態が手摺本体３１の所定の最大長さである。図示された状態は、支柱の間隔は１２００〜１２１９ｍｍであり、１２００枠に対応している。
【００８２】
そして、手摺本体３１の両端に設けられた取付部材３６において、楔３８は第１の楔孔４１だけでなく、第２の楔孔４２にも挿入されている。ここでは、管材２３は小径（外径：４２．７ｍｍ）であるから、第２の楔孔４２にかかる連通孔４８のうち、小径用孔５２に挿入されている。その結果、小径の管材２３は取付部材３６の内部に固定されている。楔３８の先端部には波形スプリングピン５０が嵌められているので、楔３８が第２の楔孔４２からも脱落することはない。
【実施例２】
【００８３】
図１１は、本発明に係る手摺の他の例を示したものである。(a)は正面図、(b)は背面図、(c)は上面図、(d)は右側面図であり、そして、(e)はＡ−Ａ線矢視右側面図（断面図）である。
【００８４】
ここでは、手摺本体３１は、１個の角形の内筒部材３２と２個の角形の外筒部材３３からなり、互いに反対方向にスライド移動させることによって、水平方向に伸縮自在に構成されている。そして、内筒部材３２と外筒部材３３とが外れないように、内筒部材３２の両端部の外側側面には、それぞれ丸棒ストッパー３４が設けられ、そして、外筒部材３３の内向きの端部の内側側面には、それぞれ板材ストッパー３５が設けられている。
【００８５】
したがって、外筒部材３３を内筒部材３２に対して外向きに移動させて手摺本体３１を伸ばし続けると、内筒部材３２に設けられた丸棒ストッパー３４と外筒部材３３に設けられた板材ストッパー３５がぶつかるために、外筒部材３３はそれ以上外向きには引き出されない。この状態が手摺本体３１の所定の最大長さであり、外筒部材３３は手摺本体の所定の最大長さを超えて引き出されることはないので、外筒部材３３が内筒部材３２から外れることはない。逆に、外筒部材３３を内筒部材３２に対して内向きに押し込むことによって手摺本体３１を縮めていくと、外筒部材３３の内向きの端面同士がぶつかるために、外筒部材３３はそれ以上内向きに押し込むことができない。この状態が手摺本体の所定の最小長さである。
【００８６】
そして、手摺本体３１の両端には、管材２３を内部に固定することができる取付部材３６がそれぞれ設けられている。取付部材３６は、手摺本体に対して直角方向に２個の壁面を有し、これら壁面に支柱（図示せず）を内部に固定することのできる１対の楔孔と楔３８を有している。ここでは、楔３８は第１の楔孔４１として設けられている長孔４５に挿入された後に、楔３８の先端部に穿たれたピン取付孔４９に波形スプリングピン５０が嵌められているので、楔３８が第１の楔孔４１から脱落することはない。したがって、楔３８が手摺から遊離することはなく、楔３８が紛失する恐れはなくなる。
【００８７】
１対の楔孔のうち、第１の楔孔４１は１個の長孔４５からなり、そして、第２の楔孔４２は小孔４７を有する２個の長孔４６からなる。楔３８は、第１の楔孔４１として設けられている長孔４５に挿入することができるだけでなく、第２の楔孔４２として設けられている小孔４７を有する２個の長孔４６のうちのいずれか一方の孔（小径用孔５２、大径用孔５３）に挿入することができる。ここでは、小径用孔５２は外径４２．７ｍｍの支柱のときに挿入され、そして、大径用孔５３は外径４８．６ｍｍの支柱のときに挿入される。
【００８８】
ここで、長孔４６に設けられた小孔４７は、楔３８の先端部に嵌められた波形スプリングピン５０が長孔４６を通り向けることができるように設けられたものである。作業員が手作業で波形スプリングピン５０が長孔４６だけでなく小孔４７をも通すことによって、はじめて楔３８は第２の楔孔４２を通ることができるものであるから、一旦波形スプリング５０が長孔４６だけでなく小孔４７をも通った後は、楔３８が第２の楔孔４２に固定されているから、第２の楔孔４２から自然に外れ落ちることはないので、楔３８は第１の楔孔４１だけでなく、第２の楔孔４２にも固定できることになる。
【００８９】
このように、支柱（図示せず）を楔孔３８と一対の楔とでその内部に固定する際に、支柱の外径に応じて、第２の楔孔４２として設けられている、小孔４７を有する２個の長孔４６のうちの一方の孔を選択して楔３８を小径用孔５２又は大径用孔５３に挿入することによって、楔３８を第２の楔孔４２にもしっかり固定できるので、その支柱の外径が、４２．７ｍｍと４８．６ｍｍのいずれであろうと、支柱の間にこの手摺を確実に固定することができる。
【００９０】
また、図示された状態では、支柱（図示せず）の間隔が９００〜９１４ｍｍのときの手摺、すなわち、９００枠用の手摺であるが、手摺本体３１は水平方向に伸縮自在に構成されているので、たとえば、支柱間の間隔が６００〜６１０ｍｍ及び１２００〜１２１９ｍｍの時にも対応する手摺にもなる。すなわち、この手摺は、６００枠、９００枠及び１２００枠のいずれにも対応することができる。
【００９１】
この手摺の実施態様は、図４で示した手摺と同様に、小径の支柱の間、大径の支柱の間、異径の支柱の間に取り付けることができる。前述の図５〜図９に示したものと同様である。また、この手摺は、上述の通り、６００枠、９００枠及び１２００枠のいずれにも対応することができる。
【実施例３】
【００９２】
図１２は、本発明に係る手摺の他の例を示したものである。(a)は正面図、(b)は背面図、(c)は上面図、(d)は右側面図であり、そして、(e)はＡ−Ａ線矢視右側面図（断面図）である。
【００９３】
ここでは、手摺本体３１は、１個の角形の内筒部材３２と２個の角形の外筒部材３３からなり、互いに反対方向にスライド移動させることによって、水平方向に伸縮自在に構成されている。そして、内筒部材３２と外筒部材３３とが外れないように、内筒部材３２の両端部の外側側面には、それぞれ丸棒ストッパー３４が設けられ、そして、外筒部材３３の内向きの端部の内側側面には、それぞれ板材ストッパー３５が設けられている。
【００９４】
したがって、外筒部材３３を内筒部材３２に対して外向きに移動させて手摺本体３１を伸ばし続けると、内筒部材３２に設けられた丸棒ストッパー３４と外筒部材３３に設けられた板材ストッパー３５がぶつかるために、外筒部材３３はそれ以上外向きには引き出されない。この状態が手摺本体３１の所定の最大長さであり、外筒部材３３は手摺本体の所定の最大長さを超えて引き出されることはないので、外筒部材３３が内筒部材３２から外れることはない。逆に、外筒部材３３を内筒部材３２に対して内向きに押し込むことによって手摺本体３１を縮めていくと、外筒部材３３の内向きの端面同士がぶつかるために、外筒部材３３はそれ以上内向きに押し込むことができない。この状態が手摺本体の所定の最小長さである。
【００９５】
そして、手摺本体３１の両端には、管材２３を内部に固定することができる断面Ｕ字形の取付部材３６がそれぞれ設けられている。断面Ｕ字形の取付部材３６は、手摺本体に対して直角方向に２個の壁面を有し、これら壁面は支柱（図示せず）を内部に固定することのできる１対の楔孔と楔３８を有している。ここでは、楔３８は第１の楔孔４１として設けられている長孔４５に挿入された後に、楔３８の先端部に穿たれたピン取付孔４９に波形スプリングピン５０が嵌められているので、楔３８が第１の楔孔４１から脱落することはない。したがって、楔３８が手摺から遊離することはなく、楔３８が紛失する恐れはなくなる。
【００９６】
１対の楔孔のうち、第１の楔孔４１は１個の長孔４５からなり、そして、第２の楔孔４２は小孔４７を有する連通孔４８からなる。楔３８は、第１の楔孔４１として設けられている長孔４５に挿入することができるだけでなく、第２の楔孔４２として設けられている小孔４７を有する連通孔４８のうちのいずれか一方の孔（小径用孔５２、大径用孔５３）に挿入することができる。ここでは、小径用孔５２は外径４２．７ｍｍの支柱のときに挿入され、そして、大径用孔５３は外径４８．６ｍｍの支柱のときに挿入される。
【００９７】
ここで、連通孔４８に設けられた小孔４７は、楔３８の先端部に嵌められた波形スプリングピン５０が連通孔４８を通り向けることができるように設けられたものである。作業員が手作業で波形スプリングピン５０が連通孔４８だけでなく小孔４７をも通すことによって、はじめて楔３８は第２の楔孔４２を通ることができるものであるから、一旦波形スプリング５０が連通孔４８だけでなく小孔４７をも通った後は、楔３８が第２の楔孔４２に固定されているから、第２の楔孔４２から自然に外れ落ちることはないので、楔３８は第１の楔孔４１だけでなく、第２の楔孔４２にも固定できることになる。
【００９８】
このように、支柱（図示せず）を楔孔３８と一対の楔とでその内部に固定する際に、支柱の外径に応じて、第２の楔孔４２として設けられている、小孔４７を有する連通孔４８のうちの一方の孔を選択して楔３８を小径用孔５２又は大径用孔５３に挿入することによって、楔３８を第２の楔孔４２にもしっかり固定できるので、その支柱の外径が、４２．７ｍｍと４８．６ｍｍのいずれであろうと、支柱の間にこの手摺を確実に固定することができる。
【００９９】
また、図示された状態では、支柱（図示せず）の間隔が９１４ｍｍのときの手摺、すなわち、９００枠用の手摺であるが、手摺本体３１は水平方向に伸縮自在に構成されているので、たとえば、支柱の間隔が６００〜６１０ｍｍ及び１２００〜１２１９ｍｍのときにも対応することができる手摺にもなる。すなわち、この手摺は、６００枠、９００枠及び１２００枠のいずれにも対応することができる。
【０１００】
図１３は、図１２で示される本発明にかかる手摺を、鳥居枠の縦柱（小径の支柱）の間に取り付けたときの一態様を示す斜視図である。
【０１０１】
図６に示すのと同様に、手摺を建枠式の枠組足場の妻面に確実に取り付けることができるので、妻面からの作業員の転落を防止することができる。
【実施例４】
【０１０２】
図１４は、本発明に係る手摺の他の例を示したものである。(a)は正面図、(b)は背面図、(c)は上面図、(d)は右側面図であり、そして、(e)はＡ−Ａ線矢視右側面図（断面図）である。
【０１０３】
ここでは、手摺本体３１は、１個の角形の内筒部材３２と２個の角形の外筒部材３３からなり、互いに反対方向にスライド移動させることによって、水平方向に伸縮自在に構成されている。そして、内筒部材３２と外筒部材３３とが外れないように、内筒部材３２の両端部の外側側面には、それぞれ丸棒ストッパー３４が設けられ、そして、外筒部材３３の内向きの端部の内側側面には、それぞれ板材ストッパー３５が設けられている。
【０１０４】
したがって、外筒部材３３を内筒部材３２に対して外向きに移動させて手摺本体３１を伸ばし続けると、内筒部材３２に設けられた丸棒ストッパー３４と外筒部材３３に設けられた板材ストッパー３５がぶつかるために、外筒部材３３はそれ以上外向きには引き出されない。この状態が手摺本体３１の所定の最大長さであり、外筒部材３３は手摺本体の所定の最大長さを超えて引き出されることはないので、外筒部材３３が内筒部材３２から外れることはない。逆に、外筒部材３３を内筒部材３２に対して内向きに押し込むことによって手摺本体３１を縮めていくと、外筒部材３３の内向きの端面同士がぶつかるために、外筒部材３３はそれ以上内向きに押し込むことができない。この状態が手摺本体の所定の最小長さである。
【０１０５】
そして、手摺本体３１の両端には、管材２３を内部に固定することができる断面Ｕ字形の取付部材３６がそれぞれ設けられている。断面Ｕ字形の取付部材３６は、手摺本体に対して直角方向に２個の壁面を有し、これら壁面は支柱（図示せず）を内部に固定することのできる１対の楔孔と楔３８を有している。ここでは、楔３８は第１の楔孔４１として設けられている長孔４５に挿入された後に、楔３８の先端部に穿たれたピン取付孔４９に波形スプリングピン５０が嵌められているので、楔３８が第１の楔孔４１から脱落することはない。したがって、楔３８が手摺から遊離することはなく、楔３８が紛失する恐れはなくなる。
【０１０６】
１対の楔孔のうち、第１の楔孔４１は１個の長孔４５からなり、そして、第２の楔孔４２は小孔４７を有する２個の長孔４６からなる。楔３８は、第１の楔孔４１として設けられている長孔４５に挿入することができるだけでなく、第２の楔孔４２として設けられている小孔４７を有する２個の長孔４６のうちのいずれか一方の孔（小径用孔５２、大径用孔５３）に挿入することができる。ここでは、小径用孔５２は外径４２．７ｍｍの支柱のときに挿入され、そして、大径用孔５３は外径４８．６ｍｍの支柱のときに挿入される。
【０１０７】
ここで、長孔４６に設けられた小孔４７は、楔３８の先端部に嵌められた波形スプリングピン５０が長孔４６を通り向けることができるように設けられたものである。作業員が手作業で波形スプリングピン５０が長孔４６だけでなく小孔４７をも通すことによって、はじめて楔３８は第２の楔孔４２を通ることができるものであるから、一旦波形スプリング５０が長孔４６だけでなく小孔４７をも通った後は、楔３８が第２の楔孔４２に固定されているから、第２の楔孔４２から自然に外れ落ちることはないので、楔３８は第１の楔孔４１だけでなく、第２の楔孔４２にも固定できることになる。
【０１０８】
このように、支柱（図示せず）を楔孔３８と一対の楔とでその内部に固定する際に、支柱の外径に応じて、第２の楔孔４２として設けられている、小孔４７を有する２個の長孔４６のうちの一方の孔を選択して楔３８を小径用孔５２又は大径用孔５３に挿入することによって、楔３８を第２の楔孔４２にもしっかり固定できるので、その支柱の外径が、４２．７ｍｍと４８．６ｍｍのいずれであろうと、支柱の間にこの手摺を確実に固定することができる。
【０１０９】
また、図示された状態では、支柱（図示せず）の間隔が９００〜９１４ｍｍのときの手摺、すなわち、９００枠用の手摺であるが、手摺本体３１は水平方向に伸縮自在に構成されているので、たとえば、支柱の間隔が６００〜６１０ｍｍ及び１２００〜１２１９ｍｍのときにも対応できる手摺にもなる。すなわち、この手摺は、６００枠、９００枠及び１２００枠のいずれにも対応することができる。
【０１１０】
この手摺の実施態様は、図４で示した手摺と同様に、小径の支柱の間、大径の支柱の間、異径の支柱の間に取り付けることができる。また、この手摺は、上述の通り、６００枠、９００枠及び１２００枠のいずれにも対応することができる。
【産業上の利用可能性】
【０１１１】
以上のとおり、本発明によれば、外径の異なる支柱の間を締結できるだけでなく、外径の同じ支柱の間を締結できる手摺を提供するとともに、これを手摺として組み込んでなる枠組足場を提供することができる。
【図面の簡単な説明】
【０１１２】
【図１】Ｈ枠を用いて建枠式の枠組足場を形成する一例である。
【図２】緊結式足場の構造の一例を示す。
【図３】建物の周囲に建枠を用いて建枠式枠組足場を組み立てるときの手摺枠の設置状況（平面図）を示す。
【図４】本発明に係る手摺の一例を示したものである。(a)は正面図、(b)は背面図、(c)は上面図、(d)は右側面図であり、そして、(e)はＡ−Ａ線矢視右側面図（断面図）である。
【図５】図４で示される本発明にかかる手摺を、小径の支柱の間に取り付けたときの一態様である。(a)は正面図、(b)は背面図、(c)は上面図、(d)は右側面図であり、そして、(e)はＡ−Ａ線矢視右側面図（断面図）である。
【図６】図４で示される本発明に係る手摺を建枠式の枠組足場に取り付けたときの一態様を示す斜視図である。
【図７】図４で示される本発明にかかる手摺を、大径の支柱の間に取り付けたときの他の態様である。(a)は正面図、(b)は背面図、(c)は上面図、(d)は右側面図であり、そして、(e)はＡ−Ａ線矢視右側面図（断面図）である。
【図８】図４で示される本発明にかかる手摺を、異径の支柱の間に取り付けたときの他の態様である。(a)は正面図、(b)は背面図、(c)は上面図、(d)は左側面図、(e)は右側面図であり、そして、(f)はＡ−Ａ線矢視右側面図（断面図）である。
【図９】図４で示される本発明にかかる手摺を、小径の支柱の間に取り付けたときの他の態様である。(a)は正面図、(b)は背面図、(c)は上面図、(d)は右側面図であり、そして、(e)はＡ−Ａ線矢視右側面図（断面図）である。
【図１０】図４で示される本発明にかかる手摺を、小径の支柱の間に取り付けたときの他の態様である。(a)は正面図、(b)は背面図、(c)は上面図、(d)は右側面図であり、そして、(e)はＡ−Ａ線矢視右側面図（断面図）である。
【図１１】本発明に係る手摺の他の例を示したものである。(a)は正面図、(b)は背面図、(c)は上面図、(d)は右側面図であり、そして、(e)はＡ−Ａ線矢視右側面図（断面図）である。
【図１２】本発明に係る手摺の他の例を示したものである。(a)は正面図、(b)は背面図、(c)は上面図、(d)は右側面図であり、そして、(e)はＡ−Ａ線矢視右側面図（断面図）である。
【図１３】図１２で示される本発明に係る手摺を建枠式の枠組足場に取り付けたときの一態様を示す斜視図である。
【図１４】本発明に係る手摺の他の例を示したものである。(a)は正面図、(b)は背面図、(c)は上面図、(d)は右側面図であり、そして、(e)はＡ−Ａ線矢視右側面図（断面図）である。
【符号の説明】
【０１１３】
１  Ｈ枠
２  縦柱
３  横桟
６ａ、６ｂ  ロック金具
７ａ、７ｂ  ロック金具
１０  手摺枠
１１  床付き布枠
１３  筋違
１４  支柱
１５  作業用手摺
１６  支柱部材
１９  ブレース材
２０  コマ
２１  腕木材
２２  建物
２４  建枠
２５  妻面建枠
３１  手摺本体
３２  内筒部材
３３  外筒部材
３４  丸棒ストッパー
３５  板材ストッパー
３６  取付部材
３８  楔
４１  第１の楔
４２  第２の楔
４５  長孔
４６  小孔を有する長孔
４７  小孔
４８  小孔を有する連通孔
４９  ピン取付孔
５０  波形スプリングピン
５１  小径用孔
５２  大径用孔
【図１】
2009191506.tif 000003
【図２】
2009191506.tif 000004
【図３】
2009191506.tif 000005
【図４】
2009191506.tif 000006
【図５】
2009191506.tif 000007
【図６】
2009191506.tif 000008
【図７】
2009191506.tif 000009
【図８】
2009191506.tif 000010
【図９】
2009191506.tif 000011
【図１０】
2009191506.tif 000012
【図１１】
2009191506.tif 000013
【図１２】
2009191506.tif 000014
【図１３】
2009191506.tif 000015
【図１４】
2009191506.tif 000016